(57)【要約】【課題】端子金具を有しない雄コネクタと端子金具を有する雌コネクタとの嵌合状態におけるがたつきを規制する。【解決手段】本発明は、端子金具が設けられていない嵌合凹部１１を有する雄コネクタハウジング１０と、嵌合凹部１１の内部に嵌合されると共に端子金具が収容された端子収容部３１を有する雌コネクタハウジング３０と、弾性的に撓み可能なロックアーム３２と、ロックアーム３２の弾性撓みに伴って揺動軌跡を描きながら変位可能なロック突部３７と、ロック突部３７が係止することで雌雄両コネクタハウジング１０，３０を嵌合状態に保持するロック孔１２とを備えたコネクタ１であって、嵌合凹部１１は、ロック孔１２とロック突部３７とが密着する方向へ端子収容部３１を付勢する第１弾性部材１３を備えている構成としたところに特徴を有する。【選択図】図７
2009146603.tif 000002
【特許請求の範囲】
【請求項１】
フード状をなし、その内部に端子金具が設けられていない嵌合凹部を有する雄コネクタハウジングと、
前記嵌合凹部の内部に嵌合されると共に端子金具が収容された端子収容部を有する雌コネクタハウジングと、
雌雄両コネクタハウジングのうちのいずれか一方において片持ち状に設けられ、弾性的に撓み可能なロックアームと、
そのロックアームの自由端側に設けられ、前記ロックアームの弾性撓みに伴って揺動軌跡を描きながら変位可能な被係止部と、
他方のコネクタハウジングに設けられ、前記ロックアームを弾性的に撓ませつつ前記端子収容部を前記嵌合凹部の内部に嵌合させ、正規嵌合に至ると前記ロックアームが復動し前記被係止部が係止することで前記雌雄両コネクタハウジングを嵌合状態に保持する係止部とを備えたコネクタであって、
前記嵌合凹部は、前記係止部と前記被係止部とが密着する方向へ前記端子収容部を付勢する付勢部材を備えているコネクタ。
【請求項２】
前記付勢部材は、前記正規嵌合にあるときに前記端子収容部の嵌合面と対面する前記嵌合凹部の奥面において弾性的に撓み可能に設けられ、前記雌雄両コネクタハウジングの嵌合方向における後方に向けて前記端子収容部を付勢する第１弾性部材を備えている請求項１に記載のコネクタ。
【請求項３】
前記付勢部材は、嵌合方向に沿って延びる形態をなし、前記雌雄両コネクタハウジングの嵌合に伴って圧潰されつつ前記端子収容部を前記嵌合方向と交差する方向に付勢するリブを備えている請求項２に記載のコネクタ。
【請求項４】
前記付勢部材は、前記正規嵌合にあるときに前記端子収容部の外面のうち前記嵌合方向に沿う外周面と対面する前記嵌合凹部の内周面において前記嵌合方向と交差する方向に弾性的に撓み可能に設けられ、前記嵌合凹部の内周面のうち前記付勢部材との対向面に向けて前記端子収容部を付勢する第２弾性部材を備えている請求項２に記載のコネクタ。
【請求項５】
前記端子収容部の外周面に対する付勢方向が交差するように配置された少なくとも一対の前記第２弾性部材を備えている請求項４に記載のコネクタ。
【請求項６】
前記第１弾性部材と前記第２弾性部材とは単一の弾性部材によって構成されており、この単一の弾性部材は前記端子収容部の嵌合面と外周面との角部に対して斜め前方から弾性的に接触する請求項４又は請求項５に記載のコネクタ。
【発明の詳細な説明】
【技術分野】
【０００１】
本発明は、コネクタに関する。
【背景技術】
【０００２】
従来より、フード状の嵌合凹部を有する雄コネクタハウジングと、嵌合凹部の内部に嵌合されると共に端子金具が収容された端子収容部を有する雌コネクタハウジングとを備えたコネクタが知られている。この種のコネクタにおいて、雌雄両コネクタハウジングのうちいずれか一方には、その嵌合状態を保持するためのロックアームが設けられている。このロックアームは片持ち状をなし弾性的に撓み可能に形成されているため、ロックアームの先端部に設けられた被係止部がロックアームの弾性撓みに伴って揺動軌跡を描きながら変位する。このため、ロックアームを弾性的に撓ませつつ雌雄両コネクタハウジングを嵌合させると、他方のコネクタハウジングの係止部に被係止部が係止することで雌雄両コネクタハウジングが嵌合状態に保持される。しかしながら、被係止部が揺動軌跡を描きながら変位する構成とした場合、正規嵌合に至ったときに係止部と被係止部との間には隙間が形成されてしまうため、この隙間をなくして係止部と被係止部とが密着する方向に付勢する付勢部材を備えた種々のコネクタが案出されている。
【０００３】
例えば、下記特許文献１に記載のコネクタは、雌雄両コネクタハウジングのうちのいずれか一方に付勢部材を設け、正規嵌合状態で付勢部材が他方のコネクタハウジングに弾性的に接触する構成としてある。また、下記特許文献２に記載のコネクタは、第１コネクタブロックに設けられた付勢部材が第２コネクタブロックに弾性的に接触する構成としてある。また、付勢部材をコネクタハウジングとは別部材としたものとして、下記特許文献３に記載のコネクタは、雌雄両コネクタハウジング間に配置されたシールリングの一部を拡張して付勢部材を形成し、この付勢部材を両コネクタハウジングで挟み付けた構成である。また、下記特許文献４に記載のコネクタは、雄コネクタハウジング側に付勢部材を設け、正規嵌合時に雌コネクタハウジングが付勢部材に弾性的に接触する構成となっている。
【０００４】
これらのコネクタは、雄コネクタの嵌合凹部の内部に端子金具が設けられているため、雄コネクタの嵌合凹部の内部において端子金具を避けるようにして付勢部材が設けられている。あるいは、雌コネクタハウジングの外面において雄コネクタの端子金具との干渉を避けるようにして付勢部材が設けられている。このようにすると、付勢部材を設置できる場所は限定され、また、付勢部材のサイズを小さいものとしなくてはならず、十分な付勢力を得ることはできないことから、付勢部材のみによっては両コネクタ間のがたつきを十分に規制することができない。とはいうものの、雄コネクタの端子金具と雌コネクタの端子金具とが弾性的に接触しているから、両端子金具間の摩擦抵抗によって両コネクタ間のがたつきが軽減され、小さい付勢力であっても両コネクタ間のがたつきを規制することが可能となっている。
【特許文献１】特開２００１−５７２６９公報
【特許文献２】特開昭５９−１４８２８７号公報
【特許文献３】特開２００１−１１０５２０公報
【特許文献４】特開平８−３１５１３号公報
【発明の開示】
【発明が解決しようとする課題】
【０００５】
しかしながら、コネクタが適用される車種や設置環境によっては、使用しない雌コネクタが生じることがあり、このように行き場のない雌コネクタに対しては端子金具を有しないダミーコネクタが嵌合される場合がある。ところが、ダミーコネクタには端子金具が設けられておらず、両端子金具間の摩擦抵抗を得ることができないため、上記した小さい付勢部材による小さい付勢力では両コネクタ間のがたつきを十分に規制することができない。
本発明は上記のような事情に基づいて完成されたものであって、端子金具を有しない雄コネクタと端子金具を有する雌コネクタとの嵌合状態におけるがたつきを規制することを目的とする。
【課題を解決するための手段】
【０００６】
本発明は、フード状をなし、その内部に端子金具が設けられていない嵌合凹部を有する雄コネクタハウジングと、嵌合凹部の内部に嵌合されると共に端子金具が収容された端子収容部を有する雌コネクタハウジングと、雌雄両コネクタハウジングのうちのいずれか一方において片持ち状に設けられ、弾性的に撓み可能なロックアームと、そのロックアームの自由端側に設けられ、ロックアームの弾性撓みに伴って揺動軌跡を描きながら変位可能な被係止部と、他方のコネクタハウジングに設けられ、ロックアームを弾性的に撓ませつつ端子収容部を嵌合凹部の内部に嵌合させ、正規嵌合に至るとロックアームが復動し被係止部が係止することで雌雄両コネクタハウジングを嵌合状態に保持する係止部とを備えたコネクタであって、嵌合凹部は、係止部と被係止部とが密着する方向へ端子収容部を付勢する付勢部材を備えている構成としたところに特徴を有する。
【０００７】
このような構成によると、ロックアームを弾性的に撓ませつつ端子収容部を嵌合凹部の内部に嵌合させ、正規嵌合に至るとロックアームが復動し被係止部が係止部に係止することで雌雄両コネクタハウジングを嵌合状態に保持することができる。この状態では、被係止部と係止部との間に隙間が形成されるものの、付勢部材によって係止部と被係止部とが密着する方向へ端子収容部を付勢することができるから、前記隙間を無くすことができる。特に本発明によると、雄コネクタハウジング側の端子金具との干渉を回避して小さめの付勢部材を形成する必要がなく、端子金具が設けられている場合よりもサイズの大きな付勢部材を形成することができるから、大きな付勢力を発揮することができる。よって、雄コネクタハウジングに端子金具がない場合であっても雌雄両コネクタ間のがたつきを規制するのに十分な付勢力を得ることができる。
【０００８】
本発明の実施の態様として、以下の構成が好ましい。
付勢部材は、正規嵌合にあるときに端子収容部の嵌合面と対面する嵌合凹部の奥面において弾性的に撓み可能に設けられ、雌雄両コネクタハウジングの嵌合方向における後方に向けて端子収容部を付勢する第１弾性部材を備えている構成としてもよい。
このような構成において雌雄両コネクタが正規嵌合に至ると、第１弾性部材によって端子収容部を嵌合方向における後方に付勢することができるから、係止部と被係止部とが密着し、雌雄両コネクタの嵌合方向におけるがたつきを規制することができる。
【０００９】
付勢部材は、嵌合方向に沿って延びる形態をなし、雌雄両コネクタハウジングの嵌合に伴って圧潰されつつ端子収容部を嵌合方向と交差する方向に付勢するリブを備えている構成としてもよい。
このような構成において雌雄両コネクタを嵌合させると、リブが雌雄両コネクタハウジング間で圧潰されることで端子収容部が嵌合方向と交差する方向に移動することが規制される。したがって、雌雄両コネクタの嵌合方向と交差する方向におけるがたつきを規制することができる。
【００１０】
付勢部材は、正規嵌合にあるときに端子収容部の外面のうち嵌合方向に沿う外周面と対面する嵌合凹部の内周面において嵌合方向と交差する方向に弾性的に撓み可能に設けられ、嵌合凹部の内周面のうち付勢部材との対向面に向けて端子収容部を付勢する第２弾性部材を備えている構成としてもよい。
このような構成において雌雄両コネクタが正規嵌合に至ると、第２弾性部材によって端子収容部を嵌合凹部の内周面のうち付勢部材との対向面に付勢することができるから、雌雄両コネクタの嵌合方向と交差する方向におけるがたつきを規制することができる。
【００１１】
端子収容部の外周面に対する付勢方向が交差するように配置された少なくとも一対の第２弾性部材を備えている構成としてもよい。
このような構成によると、少なくとも一対の第２弾性部材によって端子収容部をその外周面に対する付勢方向が交差するように付勢することができるから、雌雄両コネクタの嵌合方向と交差する方向におけるがたつきを全て規制することができる。
【００１２】
第１弾性部材と第２弾性部材とは単一の弾性部材によって構成されており、この単一の弾性部材は端子収容部の嵌合面と外周面との角部に対して斜め前方から弾性的に接触するようにしてもよい。
このようにすると、第１弾性部材と第２弾性部材を別々に設ける必要がなく、単一の弾性部材によって雌雄両コネクタの嵌合方向におけるがたつきと嵌合方向と交差する方向におけるがたつきの双方を規制することができる。よって、第１弾性部材と第２弾性部材を別々に設けた場合よりも全体の構成を簡素化することができる。
【発明の効果】
【００１３】
本発明によれば、端子金具を有しない雄コネクタと端子金具を有する雌コネクタとの嵌合状態におけるがたつきを規制することができる。
【発明を実施するための最良の形態】
【００１４】
＜実施形態１＞
本発明の実施形態１を図１ないし図８の図面を参照しながら説明する。本実施形態におけるコネクタ１は、合成樹脂製のＥＣＵケース１０Ａの側面に嵌合凹部１１が一体に成形された雄コネクタハウジング１０と、同じく合成樹脂製の雌コネクタハウジング３０とを備えている。本実施形態における雄コネクタハウジング１０はダミーコネクタであって、雌コネクタハウジング３０を使用しないときに雌コネクタハウジング３０と嵌合させておくことにより雌コネクタハウジング３０を保護するためのものである。そのため、雄コネクタハウジング１０の嵌合凹部１１の内部には端子金具が設けられていない。尚、以下の説明において前後方向とは雌雄両コネクタハウジング１０，３０の嵌合方向を基準としてそれぞれの嵌合面側を前側とする。
【００１５】
嵌合凹部１１は、図２に示すように、横長略方形で前方に開口するフード状をなしている。嵌合凹部１１の開口縁は、図３に示すように、ＥＣＵケース１０Ａの側面よりも前方に突出した位置に設定され、嵌合凹部１１の奥面１１Ａは、ＥＣＵケース１０Ａの側面よりも後方に位置し、ＥＣＵケース１０Ａの内部に入り込んだ位置に設定されている。この嵌合凹部１１の内部に次述する端子収容部３１が嵌り込むことで雌雄両コネクタハウジング１０，３０の嵌合が行われる。
【００１６】
嵌合凹部１１を構成する上面部には、ロック孔１２が貫通して設けられている。また、嵌合凹部１１の内周面を構成する下面１１Ｂと上面１１Ｃの幅方向両端部には、前後方向に延びる一対のガイド凹部１６がそれぞれ凹設されている。
【００１７】
雌コネクタハウジング３０は、図４に示すように、略方形のブロック状をなす端子収容部３１と、端子収容部３１の上面に配設されたロックアーム３２とを備えている。また、端子収容部３１の上面と下面における幅方向両側縁には、前後方向に延びる一対のガイドリブ３５がそれぞれ設けられている。これらのガイドリブ３５は、雌雄両コネクタハウジング１０，３０の嵌合時に、それぞれガイド凹部１６に嵌り込むことで嵌合動作を案内可能である。
【００１８】
また、端子収容部３１の後面における上下両縁部には、一対の指掛け部３６がそれぞれ上下方向に突出して設けられている。上側の指掛け部３６の中央部は、前方に張り出した形態をなし、ロックアーム３２の後述する解除操作部３８の上方を覆っており、外部の衝撃等から解除操作部３８を保護すると共に誤操作を防ぐ役割を果たしている。
【００１９】
端子収容部３１の内部には、図５に示すように、前後方向に貫通するキャビティ３３が形成されており、このキャビティ３３の内部に端子金具（図示せず）が収容可能である。端子収容部３１の下面には、リテーナ（図示せず）を装着するためのリテーナ装着孔３４が形成されている。リテーナ装着孔３４にリテーナが装着されると、キャビティ３３の内部に収容された端子金具の後端にリテーナが係止することで端子金具が後方へ抜け止めされた状態に保持される。
【００２０】
ロックアーム３２は、端子収容部３１の上面前端を基端部３２Ａとして上方に立ち上げられると共に後方に延出されたアーム部３２Ｂを備えることで片持ち状に形成されている。ロックアーム３２は、端子収容部３１の上面に対してほぼ平行となる水平姿勢をとり、ロックアーム３２と端子収容部３１の上面との間には、ロックアーム３２の撓み空間Ｓ１が形成されている。したがって、ロックアーム３２は、基端部３２Ａを支点として撓み空間Ｓ１内において下方に弾性的に撓み可能である。
【００２１】
アーム部３２Ｂの上面には、ロック突部３７が上方に突出して設けられている。このロック突部３７は、端子収容部３１の上面を水平面としたときに、ほぼ鉛直方向に切り立った係止面（本発明の「被係止部」の一例）３７Ａと、この係止面３７Ａの上端から前方に向けて緩やかな下り勾配をなす傾斜面３７Ｂとを備えている。係止面３７Ａは、雌雄両コネクタハウジング１０，３０の嵌合に伴って、ロック孔１２に嵌り込みロック孔１２の内周面（本発明の「係止部」の一例）に係止することで雌雄両コネクタハウジング１０，３０を嵌合状態に保持する。
【００２２】
また、アーム部３２Ｂの上面においてロック突部３７よりも後方には、解除操作をするための解除操作部３８が設けられている。雌雄両コネクタハウジング１０，３０が嵌合状態にあるときに指で解除操作部３８を下方に押し込んで、係止面３７Ａとロック孔１２の内周面との係止状態を解除し指掛け部３６に指を引っ掛けて雌コネクタハウジング３０を後方へ引っ張ることにより、雌雄両コネクタハウジング１０，３０を離脱させることが可能である。
【００２３】
尚、雌雄両コネクタハウジング１０，３０の嵌合途上では、ロック突部３７の傾斜面３７Ｂが嵌合凹部１１の開口縁に摺接しつつアーム部３２Ｂが下方に撓み変形し、ロック突部３７が嵌合凹部１１の内部に入り込む。このとき、ロックアーム３２は、上述したように水平姿勢をとっているため、端子収容部３１の上面に向けて下方に押し下げられるに伴って、係止面３７Ａの上端縁がやや後方下側に揺動軌跡を描きながら変位する。そして、雌雄両コネクタハウジング１０，３０が正規嵌合に至ると、図６に示すように、アーム部３２Ｂが弾性復帰して係止面３７Ａの上端縁がやや前方上側に揺動軌跡を描きながら変位し、ロック突部３７がロック孔１２に嵌り込んだ状態となる。したがって、係止面３７Ａとこれに対面するロック孔１２の内周面との間には、隙間Ｓ２が形成されることになる。
【００２４】
このように、ロックアーム３２が片持ち状に形成され、その結果、雌雄両コネクタハウジング１０，３０の嵌合途上でロック突部３７が揺動軌跡を描きながら変位する以上、必ず隙間Ｓ２が形成されてしまう。そして、隙間Ｓ２があると、雌雄両コネクタハウジング１０，３０が隙間Ｓ２の長さ分だけ前後方向に移動し、がたつきを許容することになるため、異音が発生する原因になる。
【００２５】
この対策として、嵌合凹部１１の奥面（雌雄両コネクタハウジング１０，３０の嵌合時に端子収容部３１の嵌合面と対面する面）１１Ａには、隙間Ｓ２をなくして係止面３７Ａとロック孔１２の内周面とが密着する方向に付勢する第１弾性部材（本発明の「付勢部材」の一例）１３が設けられている。第１弾性部材１３は、図２に示すように、嵌合凹部１１の奥面１１Ａをコ字形に切り欠くことにより、上方に突出する板状に形成され、前後方向に撓み可能である。詳細には、第１弾性部材１３は、図３に示すように、嵌合凹部１１の奥面１１Ａの下端から斜め前方に向かいつつ上方に延びる形態で形成されることにより、第１弾性部材１３の上端部が、板厚１枚分だけ嵌合凹部１１の内部に入り込んだ状態となっている。このため、第１弾性部材１３は、嵌合凹部１１の内部に正規嵌合した端子収容部３１の嵌合面に対し弾性的に接触可能である。
【００２６】
ここで、隙間Ｓ２は、第１弾性部材１３の板厚よりも小さくなるように設定されている。したがって、雌雄両コネクタハウジング１０，３０が正規嵌合し、端子収容部３１の前面が第１弾性部材１３から弾性力を受けることにより、端子収容部３１は、図７に示すように、後方（雌雄両コネクタハウジング１０，３０の離脱方向）へ押し戻されると共に係止面３７Ａとロック孔１２の内周面とが密着した状態に保持される。
【００２７】
尚、本実施形態において嵌合凹部１１の内周面には、前後方向に延びるがたづめリブ１４が設けられている。図８は、がたづめリブ１４を実際よりも大きめに描いた簡略図であって、嵌合凹部１１を構成する上下左右の壁部には、それぞれ一対のがたづめリブ１４が設けられている。嵌合凹部１１の内部に端子収容部３１が嵌合されると、がたづめリブ１４の先端が端子収容部３１の外周面によって圧潰され、端子収容部３１が嵌合凹部１１に対して上下左右（雌雄両コネクタハウジング１０，３０の嵌合方向と交差する方向）に移動することが規制される。
【００２８】
本実施形態は以上のような構造であって、続いてその作用を説明する。まず、ガイドリブ３５をガイド凹部１６の内部に嵌め込むようにして雄コネクタハウジング１０の嵌合凹部１１の内部に雌コネクタハウジング３０の端子収容部３１を挿入していく。すると、ガイドリブ３５とガイド凹部１６の嵌り合いによって嵌合動作が案内されると共に、ロックアーム３２のロック突部３７の傾斜面３７Ｂが嵌合凹部１１の開口縁に摺接しつつアーム部３２Ｂが弾性的に撓んでロック突部３７が嵌合凹部１１の内部に入り込む。このとき、ロック突部３７の係止面３７Ａの上端縁は、端子収容部３１の上面に向かいつつやや後方へ揺動軌跡を描きながら変位する。
【００２９】
そのまま、雌雄両コネクタハウジング１０，３０の嵌合動作を続けていき、正規嵌合に至ると、アーム部３２Ｂが弾性復帰し、ロック突部３７がロック孔１２の内部に嵌り込む。このとき、ロック突部３７の係止面３７Ａの上端縁は、端子収容部３１の上面から離間する方向へ向かいつつやや前方へ揺動軌跡を描きながら変位する。したがって、係止面３７Ａとロック孔１２の内周面との間には、隙間Ｓ２が形成される。
【００３０】
これと並行して、嵌合凹部１１の内部に正規嵌合した端子収容部３１の嵌合面は、第１弾性部材１３から弾性力を受けて後方へ付勢される。これにより、隙間Ｓ２がなくなって係止面３７Ａとロック孔１２の内周面とは密着した状態になる。また、端子収容部３１の外周面によってがたづめリブ１４の先端を圧潰しつつ端子収容部３１が嵌合凹部１１の内部に収容される。この結果、端子収容部３１は、嵌合凹部１１の内部において前後方向、及び上下左右に移動することが規制され、がたづめされた状態に保持される。
【００３１】
尚、雌コネクタハウジング３０を使用したい場合には、ロックアーム３２の解除操作部３８を指で押し下げることにより、係止面３７Ａとロック孔１２の内周面との係止状態を解除し、指掛け部３６に指を引っ掛けて雌コネクタハウジング３０を雄コネクタハウジング１０から引き抜くことにより雌雄両コネクタハウジング１０，３０を離脱させることができる。
【００３２】
以上のように本実施形態では、嵌合凹部１１の奥面１１Ａに第１弾性部材１３を設けることができるから、従来のように、雄コネクタハウジング１０側の端子金具との干渉を回避するようにして第１弾性部材を小さめに形成する必要がなく、大きな第１弾性部材１３を形成して、大きな付勢力を得ることができる。したがって、雄コネクタハウジング１０に端子金具がなく、両端子金具間の摩擦抵抗を得ることができない場合であっても雌雄両コネクタハウジング１０，３０間のがたつきを規制するのに十分な付勢力を得ることができる。
【００３３】
また、嵌合凹部１１の内周面にがたづめリブ１４を設けたから、雌雄両コネクタハウジング１０，３０の嵌合に伴って、がたづめリブ１４の先端が端子収容部３１の外周面によって圧潰され端子収容部３１を上下左右（雌雄両コネクタハウジング１０，３０の嵌合方向と交差する方向）に付勢することができる。したがって、端子収容部３１が嵌合凹部１１に対して上下左右にがたつくことを規制可能である。
【００３４】
＜実施形態２＞
次に、本発明の実施形態２を図９ないし図１４の図面を参照しながら説明する。本実施形態におけるコネクタ２は、実施形態１のコネクタ１における第１弾性部材１３及びがたづめリブ１４の代わりに第２弾性部材１５を設けたものであり、その他の共通する構成、作用、効果については説明を省略し、同一部材には実施形態１と同一符号を用いるものとする。
【００３５】
第２弾性部材１５は、図９及び図１０に示すように、嵌合凹部１１の奥面１１Ａに隣接する内周面に設けられている。第２弾性部材１５は、詳細には、嵌合凹部１１の内周面を構成する下面１１Ｂと上面１１Ｃにそれぞれ２個ずつと、両側面１１Ｄ，１１Ｄにそれぞれ１個ずつとで合計６個が設けられている。第２弾性部材１５は、各面１１Ｂ〜１１Ｄを略コ字形に切り欠くことにより後方に突出する板状をなしている。このため、第２弾性部材１５は、その前端部を基端部として後端部が板厚方向に撓み可能である。
【００３６】
嵌合凹部１１の下面１１Ｂに設けられた第２弾性部材１５は、図１１に示すように、同下面１１Ｂの後部から後方に向かうにつれて上方に向かう傾斜部１５Ａと、その傾斜部１５Ａの後端からさらに後方に延びる水平部１５Ｂとを備えている。これにより、水平部１５Ｂは、嵌合凹部１１の下面１１Ｂから板厚１枚分だけ嵌合凹部１１の内部に位置した状態となっている。また、傾斜部１５Ａは、嵌合凹部１１の内部に位置しているため、嵌合凹部１１の内部に端子収容部３１が嵌合したときに端子収容部３１の嵌合面における下端部と接触可能である。尚、嵌合凹部１１の上面１１Ｃに設けられた第２弾性部材１５は、同下面１１Ｂに設けられた第２弾性部材１５を同上面１１Ｃに配置したものであり、また、同側面１１Ｄに設けられた第２弾性部材１５も同様であるため、それらの説明を省略する。
【００３７】
次に、本実施形態の作用を説明する。端子収容部３１を嵌合凹部１１の内部に挿入していくと、アーム部３２Ｂが弾性的に撓み変形し、ロック突部３７が嵌合凹部１１の内部に入り込む。そして、雌雄両コネクタハウジング１０，３０が正規嵌合に近づくと、端子収容部３１の嵌合面における外周縁が第２弾性部材１５の傾斜部１５Ａに摺接しつつ第２弾性部材１５が後方に撓み変形し、雌雄両コネクタハウジング１０，３０が正規嵌合に至ると、図１２に示すように、アーム部３２Ｂが弾性復帰すると共にロック突部３７がロック孔１２の内部に嵌り込む。
【００３８】
雌雄両コネクタハウジング１０，３０が正規嵌合した状態では、係止面３７Ａとロック孔１２の内周面との間には隙間Ｓ２が形成されているものの、端子収容部３１の嵌合面と外周面（雌雄両コネクタハウジング１０，３０の嵌合方向に沿う面）との角部３９が第２弾性部材１５の傾斜部１５Ａと弾性的に接触した状態となっているため、図１３及び図１４に示すように、端子収容部３１が後方に押し戻されて隙間Ｓ２がなくなると共に係止面３７Ａとロック孔１２の内周面とが密着した状態に保持される。
【００３９】
さらに、係止面３７Ａとロック孔１２の内周面とが密着した状態では、第２弾性部材１５の傾斜部１５Ａが端子収容部３１の嵌合面と外周面との角部３９に対して斜め前方から弾性的に接触する。このため、端子収容部３１は、第２弾性部材１５から後方へ向けて付勢されるのみならず、雌雄両コネクタハウジング１０，３０の嵌合方向と交差する方向にも付勢される。これにより、端子収容部３１は、図１３に示すように、嵌合凹部１１の一方の側面１１Ｄに設けられた第２弾性部材１５によって他方の側面１１Ｄ（対向面）側に付勢されると共に、図１４に示すように、嵌合凹部１１の下面１１Ｂに設けられた第２弾性部材１５によって上方に付勢されると共に、嵌合凹部１１の上面１１Ｃに設けられた第２弾性部材１５によって下方に付勢される。したがって、端子収容部３１は、嵌合凹部１１に対して前後方向のみならず、上下左右にも移動が規制された状態となり、雌雄両コネクタハウジング１０，３０間のがたつきが規制される。
【００４０】
以上のように本実施形態では、第２弾性部材１５を設けたから、前後方向のみならず、上下左右にも雌雄両コネクタハウジング１０，３０間のがたつきを規制することができる。しかも、第２弾性部材１５は、単一の弾性部材でありながら実施形態１における第１弾性部材１３及びがたづめリブ１４の双方の機能を発揮することができるから、第１弾性部材１３及びがたづめリブ１４をそれぞれ別々に設ける場合よりも全体の構成を簡素化することができる。
【００４１】
＜他の実施形態＞
本発明は上記記述及び図面によって説明した実施形態に限定されるものではなく、例えば次のような実施形態も本発明の技術的範囲に含まれる。
（１）本実施形態ではロックアーム３２を雌コネクタハウジング３０に設けているものの、本発明によると、ロックアーム３２を雄コネクタハウジング１０に設けてもよい。
【００４２】
（２）本実施形態では付勢部材として雄コネクタハウジング１０と一体に形成された第１弾性部材１３，がたづめリブ１４，及び第２弾性部材１５を例示しているものの、本発明によると、付勢部材として雄コネクタハウジング１０とは別体で形成された金属バネ等を用いてもよい。
【００４３】
（３）実施形態１では上下左右のがたづめとしてがたづめリブ１４を例示しているものの、本発明によると、上下左右のがたづめとして第１弾性部材１３と同様の構成のものを嵌合凹部１１の下面１１Ｂ、上面１１Ｃ、及び側面１１Ｄに設けてもよい。
【００４４】
（４）実施形態２では第２弾性部材１５によって前後方向及び上下左右のがたづめを行っているものの、本発明によると、これらのがたづめとして第１弾性部材１３と同様の構成のものを嵌合凹部１１の奥面１１Ａ、下面１１Ｂ、上面１１Ｃ、及び両側面１１Ｄ，１１Ｄに別々に設けてもよい。その場合、第１弾性部材１３と同様の構成のものを嵌合凹部１１の下面１１Ｂもしくは上面１１Ｃのいずれか一方に設けてもよく、また、両側面１１Ｄ，１１Ｄのいずれか一方に設けてもよい。
【図面の簡単な説明】
【００４５】
【図１】実施形態１における雄コネクタハウジングの平面図
【図２】その雄コネクタハウジングの正面図
【図３】その雄コネクタハウジングの一部切り欠き側面図
【図４】その雌コネクタハウジングの平面図
【図５】その雌コネクタハウジングを側方から見た断面図
【図６】その雌雄両コネクタハウジングの正規嵌合直後の状態を側方から見た断面図
【図７】その端子収容部が第１弾性部材によって後方に付勢された状態を側方から見た断面図
【図８】その端子収容部ががたづめリブによって上下左右に付勢された状態を前後方向から見た断面図
【図９】実施形態２における雄コネクタハウジングの平面図
【図１０】その雄コネクタハウジングの正面図
【図１１】その雄コネクタハウジングの一部切り欠き側面図
【図１２】その雌雄両コネクタハウジングの正規嵌合直後の状態を側方から見た断面図
【図１３】その端子収容部が嵌合凹部の側面に設けられた第２弾性部材によって左右両側から付勢された状態を示した平面図
【図１４】その端子収容部が嵌合凹部の下面及び上面に設けられた第２弾性部材によって上下両側から付勢された状態を示した断面図
【符号の説明】
【００４６】
１，２…コネクタ
１０…雄コネクタハウジング
１１…嵌合凹部
１１Ａ…嵌合凹部の奥面
１２…ロック孔（係止部）
１３…第１弾性部材
１４…がたづめリブ
１５…第２弾性部材
３０…雌コネクタハウジング
３１…端子収容部
３２…ロックアーム
３７…ロック突部
３７Ａ…係止面（被係止部）
３９…角部
Ｓ２…隙間
【図１】
2009146603.tif 000003
【図２】
2009146603.tif 000004
【図３】
2009146603.tif 000005
【図４】
2009146603.tif 000006
【図５】
2009146603.tif 000007
【図６】
2009146603.tif 000008
【図７】
2009146603.tif 000009
【図８】
2009146603.tif 000010
【図９】
2009146603.tif 000011
【図１０】
2009146603.tif 000012
【図１１】
2009146603.tif 000013
【図１２】
2009146603.tif 000014
【図１３】
2009146603.tif 000015
【図１４】
2009146603.tif 000016